(57)【特許請求の範囲】
【請求項１】
各一対の側壁および端壁を有する外周壁と、この外周壁の下端を閉塞する底壁と、前記外周壁の上端を閉塞する天壁とを備え、前記一対の側壁のうち一方の第１側壁の上端外側面に貼着される貼着壁を前記天壁に連設した包装箱において、
前記天壁に、連続する前記貼着壁との稜部を表示部用連続部とし、この表示部用連続部の両端部にかけて迂回させて破断手段を設け、これら表示部用連続部および破断手段によって囲まれた内部に立設可能な表示部を設け、かつ、
前記貼着壁に、前記表示部側を係止部用連続部として内向きに押込可能な係止部を設けるとともに、この係止部の内側に位置する前記第１側壁の上端縁に、前記係止部を係止可能な切欠部を設けた
ことを特徴とする包装箱。
【請求項２】
前記天壁に一対の端部が位置するように、前記天壁から前記表示部用連続部を越えて前記貼着壁にかけて延びる略Ｕ字形状の切断線を設け、その内部に前記貼着壁の反発を防止するとともに前記表示部の立設状態を補助する保持片を設けたことを特徴とする請求項１に記載の包装箱。
【発明の詳細な説明】
【技術分野】
【０００１】
本発明は、収容した商品を店頭にて展示販売する際に販売促進効果を得ることが可能な包装箱に関するものである。
【背景技術】
【０００２】
店頭にて商品を販売する際には、輸送用の包装箱の外周壁および天壁の一部を分離して内部の商品を露出させて陳列したり、包装箱の印刷の一部を表示部として利用して販売促進効果を向上したりすることがある。
【０００３】
特許文献１には、第１側壁、底壁、第２側壁および天壁を順番に連設し、各壁の両端縁に端壁を構成するフラップを連設したラップアラウンド形式の包装箱が記載されている。この包装箱には、天壁に第１側壁の上端外側に貼着する貼着壁が連設されている。また、包装箱には、天壁における貼着壁の側を連続部とし、この連続部の両端から第２側壁にかけて片ジッパー等の破断手段を設け、これらで囲まれた内部を表示部として利用可能としている。即ち、破断手段によって天壁および第２側壁を破断し、天壁と第２側壁の境界の折曲線が頂部となるように、連続部を支点として上向きに折り曲げる。これにより、天壁上に箱外面の印刷を利用した表示部を立設できるようにしている。
【０００４】
しかし、特許文献１の包装箱の表示部は、箱外面の印刷を利用するものであるため、輸送中に汚れが付着している場合や、包装箱の積み上げにより印刷に擦れが生じた場合等には外観が悪くなり、販売促進効果が薄れるという不都合がある。
【０００５】
これに対して、特許文献２の包装箱は、天壁に看板基部罫線を設け、その両端に一対の片ジッパーを設けるとともに、これら片ジッパーの先端間にかけてジッパーを設け、これらの間に表示部を形成している。また、看板基部罫線の中央には一対のＺ字状切れ目線を設け、これらの間に形成される起立保持部により、表示部を立設状態に保持する構成としている。
【０００６】
この特許文献２の包装箱の表示部は、商品を収容する内面側が表示面になるため、輸送中に汚れが付着して外観が悪くなることはない。しかし、包装箱の天面には、表示部を区画するための破断用罫線と、表示部を立設する起立保持部を設けるための切断線を設ける必要があるため、封緘状態での包装箱の剛性（箱強度）が低下するという不都合がある。
【先行技術文献】
【特許文献】
【０００７】
【特許文献１】特許第３６８３２２４号公報
【特許文献２】特開２０１０−１７３７０７
【発明の概要】
【発明が解決しようとする課題】
【０００８】
本発明では、表示部の外観が損なわれることを防止し、かつ、封緘時の剛性の低下を抑えることが可能な包装箱を提供することを課題とするものである。
【課題を解決するための手段】
【０００９】
前記課題を解決するため、本発明の包装箱は、各一対の側壁および端壁を有する外周壁と、この外周壁の下端を閉塞する底壁と、前記外周壁の上端を閉塞する天壁とを備え、前記一対の側壁のうち一方の第１側壁の上端外側面に貼着される貼着壁を前記天壁に連設した包装箱において、前記天壁に、連続する前記貼着壁との稜部を表示部用連続部とし、この表示部用連続部の両端部にかけて迂回させて破断手段を設け、これら表示部用連続部および破断手段によって囲まれた内部に立設可能な表示部を設け、かつ、前記貼着壁に、前記表示部側を係止部用連続部として内向きに押込可能な係止部を設けるとともに、この係止部の内側に位置する前記第１側壁の上端縁に、前記係止部を係止可能な切欠部を設けた構成としている。
【００１０】
この包装箱は、破断手段により天壁を破断することにより、内側の表示部を表示部用連続部を支点として立設することができる。ここで、この表示部用連続部は天壁と貼着壁の稜部（境界）であるため、この表示部用連続部を支点として立設させた場合には、折り癖により表示部が倒れてしまう。しかし、本発明では、表示部に連続する係止部を内向きに押し込み、第１側壁の切欠部に係止することにより、表示部を引っ張って立設状態に保持することができる。
【００１１】
そして、このように構成した表示部は、商品を収容する内面側が表示面となるため、輸送時に表示面に汚れが付着したり、積み上げにより表示面に擦れが生じたりすることはない。よって、表示面に所定の印刷を施しておくことにより確実に販売促進効果を得ることができる。また、天壁には表示部を区画する破断手段のみを設け、表示部を立設状態に保持するための構造は貼着壁に設けているため、封緘時の剛性の低下を最小限に抑えることができる。
【００１２】
この包装箱では、前記天壁に一対の端部が位置するように、前記天壁から前記表示部用連続部を越えて前記貼着壁にかけて延びる略Ｕ字形状の切断線を設け、その内部に前記貼着壁の反発を防止するとともに前記表示部の立設状態を補助する保持片を設けることが好ましい。このようにすれば、封緘時には天壁に対する貼着壁の反発を防止して確実に封緘状態を保持できるとともに、開封時には表示部の倒れ込みを防止して確実に立設状態を保持できる。
【発明の効果】
【００１３】
本発明の包装箱では、商品を収容する内面側で表示面を構成するため、輸送中に汚れが付着したり、積み上げにより擦れが生じたりすることを防止でき、確実に販売促進効果を得ることができる。また、天壁には表示部を区画する破断手段のみを設けた構成であるため、封緘時の剛性の低下を最小限に抑えることができる。
【図面の簡単な説明】
【００１４】
【図１】本発明に係る第１実施形態の包装箱の開封状態を示す斜視図である。
【図２】図１を背面側から見た斜視図である。
【図３】包装箱の封緘状態を示す斜視図である。
【図４】包装箱の開封過程を示す斜視図である。
【図５】第１実施形態の包装箱のブランクを示す底面図である。
【図６】図５の要部拡大底面図である。
【図７】（Ａ），（Ｂ），（Ｃ），（Ｄ）はブランクの各要部を示す拡大断面図である。
【図８】第２実施形態の包装箱の開封状態を示す斜視図である。
【図９】第２実施形態の包装箱のブランクの要部拡大底面図である。
【図１０】第３実施形態の包装箱の開封状態を示す斜視図である。
【図１１】第３実施形態の包装箱のブランクの要部拡大底面図である。
【発明を実施するための形態】
【００１５】
以下、本発明の実施の形態を図面に従って説明する。
【００１６】
図１および図２は本発明に係る第１実施形態の包装箱の開封状態を示し、図３は包装箱の封緘状態を示す。この包装箱は、外周壁を構成する各一対の側壁１１Ａ，１１Ｂおよび端壁１８Ａ，１８Ｂの上下端を、一体的に設けた底壁１０および天壁１２によって閉塞したラップアラウンド形式のものである。そして、本実施形態では、商品を収容する内面側を表示面２５ａとした表示部２５を天壁１２に設け、この表示部２５を天壁１２上に立設可能としたものである。
【００１７】
この包装箱は、段ボール紙１を周知の紙器打抜装置によって、図５に示す一枚のブランクとして打ち抜き、所定部位を貼着することにより形成される。段ボール紙１は、図７（Ａ）に示すように、表ライナ２および裏ライナ３の間に、波状に連続する中しん４を配設した周知のものである。そのうち、表ライナ２は、封緘状態で包装箱の外側に位置するもので、収容する商品に基づいた印刷が施される。裏ライナ３は、商品を収容する内側に位置するもので、通常では何ら印刷は施されない。この裏ライナ３に対して、本実施形態では少なくとも後述する表示部２５に、収容する商品に基づいた宣伝広告用の印刷（図面では「ＰＯＰ表示」と記載）が施される。
【００１８】
包装箱のブランクは、裏ライナ３の側から見た図５に示すように、横長の矩形状をなす底壁１０を備えている。この底壁１０の上下縁には、矩形状をなす第１および第２の側壁１１Ａ，１１Ｂが連設されている。上側に位置する第２の側壁１１Ｂの上側縁には、封緘状態で底壁１０と対向する矩形状の天壁１２が連設されている。天壁１２の上端縁には、封緘状態で隣接する第１の側壁１１Ａの上端外側面に貼着される細幅の貼着壁１３が連設されている。これら底壁１０、側壁１１Ａ，１１Ｂ、天壁１２および貼着壁１３は、段ボール紙１の中しん４の延び方向に沿って連続するように打ち抜かれている。
【００１９】
一点鎖線で示すように、底壁１０および各側壁１１Ａ，１１Ｂの各境界部分と、側壁１１Ｂおよび天壁１２の境界部分には、第１折曲線１４が設けられている。この第１折曲線１４は、図７（Ｂ）に示すように、段ボール紙１の肉厚を圧縮するように裏ライナ３の側から罫を入れて形成した窪みからなる。また、天壁１２および貼着壁１３の境界部分には、左右対称で合計４箇所に略Ｕ字形状の第１切断線１５を設けることにより内部に保持片１６が設けられ、この保持片１６を除く部分に第２折曲線１７が設けられている。第１切断線１５は、図７（Ｃ）に示すように、中しん４を含む裏ライナ３から表ライナ２にかけて刃を入れて切断したものである。この第１切断線１５は、第１切断線１５は、天壁１２上に一対の端部が位置するように、天壁１２から第２折曲線１７を越えて貼着壁１３にかけて延びる。具体的には、第１切断線１５は、図６に示すように、天壁１２から貼着壁１３に向けて広がるように傾斜して延びる一対の第１切断部１５ａ，１５ａと、貼着壁１３内において第１切断部１５ａ，１５ａの先端間にかけて延びる第２切断部１５ｂとを有する。これにより、第１切断線１５内には、天壁１２に対して面一に連続する舌片状の保持片１６が形成される。
【００２０】
図５に示すように、第１の側壁１１Ａの両端縁には、端壁１８Ａ，１８Ｂを構成する長方形状の第１内フラップ１９Ａ，１９Ｂが連設され、第２の側壁１１Ｂの両端縁には、同様の第２内フラップ２０Ａ，２０Ｂが連設されている。また、底壁１０の両端縁には、内フラップ１９Ａ，１９Ｂ，２０Ａ，２０Ｂと一緒に端壁１８Ａ，１８Ｂを構成する略長方形状の第１外フラップ２１Ａ，２１Ｂが連設され、天壁１２の両端縁には、第２外フラップ２２Ａ，２２Ｂが連設されている。これら外フラップ２１Ａ，２１Ｂ，２２Ａ，２２Ｂは、内フラップ１９Ａ，１９Ｂ，２０Ａ，２０Ｂの外側面下部に重畳して貼着される。また、本実施形態のフラップ１９Ａ，１９Ｂ〜２２Ａ，２２Ｂは、互いに貼着した封緘状態で、中央に内部に連通する開口部が形成されるショートフラップで構成されている。
【００２１】
そのうち、底壁１０と第１外フラップ２１Ａ，２１Ｂの境界部分、および、側壁１１Ａ，１１Ｂと内フラップ１９Ａ，１９Ｂ，２０Ａ，２０Ｂの境界部分には、それぞれ第３折曲線２３が設けられている。また、天壁１２と第２外フラップ２２Ａ，２２Ｂの境界部分には、側壁１１Ｂの側に第４折曲線２４が設けられ、貼着壁１３の側に後述する破断手段を構成する第１片ジッパー２６が設けられている。
【００２２】
そして、本実施形態では、天壁１２に立設可能な表示部２５を設けるとともに、この表示部２５を立設状態に保持するための係止部２８を貼着壁１３に設けている。また、本実施形態では、表示部２５を立設した開封陳列状態で、正面側となる第２の側壁１１Ｂおよび天壁１２の一部を分離して内部の商品を大きく露出させるための分離用破断部３０Ａ，３０Ｂを設けている。
【００２３】
表示部２５は、図６に示すように、貼着壁１３との稜部（境界部分）である第２折曲線１７と、この第２折曲線１７の両端から第２の側壁１１Ｂに向けて延びる一対の第１片ジッパー２６，２６と、これら第１片ジッパー２６，２６間にかけて延びる破断用罫線２７とを設けることにより、これらに囲まれた内部に形成されている。第２折曲線１７は、表示部用連続部を構成し、第１片ジッパー２６と破断用罫線２７とは、第２折曲線１７の両端部にかけて迂回して延びる破断手段を構成する。第１片ジッパー２６は、天壁１２と第２外フラップ２２Ａ，２２Ｂの稜部に沿って所定間隔をもってミシン目状に延びる第１切断部２６ａと、この第１切断部２６ａにおける第２の側壁１１Ｂの側の端部から内向きに傾斜して延びる第２切断部２６ｂとを備えたものである。破断用罫線２７は、第１片ジッパー２６，２６間にかけて設けたハーフカット線２７ａ上に、所定間隔をもって切断部２７ｂを設けたものである。ハーフカット線２７ａは、図７（Ｄ）に示すように、裏ライナ３の側から刃を入れて裏ライナ３を切断し、表ライナ２は切断していない非切断部としたものである。中しん４は、途中まで切断した状態を図示しているが、弾性的に変形することにより切断されないことがある。
【００２４】
係止部２８は、図６に示すように、表示部２５の側を係止部用連続部として内向きに押込可能な切起構造のものである。具体的には、係止部２８は、係止部用連続部を構成する第２折曲線１７上から外向きに広がるように傾斜して延びる一対の第１切断部２８ａ，２８ａと、これらの先端間にかけて所定間隔をもってミシン目状に延びる第２切断部２８ｂとを設け、これらの内部に形成される台形状のものである。図５に示すように、封緘状態で係止部２８の内側に位置する第１の側壁１１Ａの端縁には、係止部２８を係止可能な切欠部２９が設けられている。
【００２５】
分離用破断部３０Ａは、第１外フラップ２１Ａ，２１Ｂから上方の側壁１１Ａ，１１Ｂ、端壁１８Ａ，１８Ｂおよび天壁１２を分離するためのものである。この分離用破断部３０Ａは、一面に接着剤が塗布された樹脂（ポリプリピレン）製のカットテープからなる。このカットテープは、中しん４と直交するように、各一対の内フラップ１９Ａ，１９Ｂ，２０Ａ，２０Ｂの両端間にかけて裏ライナ３に貼着されている。なお、カットテープは、ブランクとして打ち抜く前の連続シートの状態で貼着され、この状態で紙器打抜装置によって打ち抜かれる。分離用破断部３０Ａの端部が位置する内フラップ１９Ａ，１９Ｂ，２０Ａ，２０Ｂの端縁には、一対の切込線３１Ａ，３１Ｂが設けられ、これらの間に破断する際の把持部を形成している。
【００２６】
分離用破断部３０Ｂは、天壁１２および第２外フラップ２２Ａ，２２Ｂの正面側、即ち表示部２５を除く部分を側壁１１Ｂの上部と一緒に分離するためのものである。この分離用破断部３０Ｂは、第２外フラップ２２Ａ，２２Ｂに設けたジッパー３２と、破断用罫線２７と平行に設けた第２片ジッパー３３とを有する。ジッパー３２は、第２切断部が互いに接近する方向に延びるように一対の片ジッパーを対称に設けたものである。一方の片ジッパー部３２ａは、破断用罫線２７の延長線上に延びるように設けられている。第２片ジッパー３３は、破断用罫線２７に対して平行に延びるとともに、ジッパー３２の他方の片ジッパー部３２ｂの端部間にかけて延びるものである。なお、ジッパー３２は、第２切断部の延び方向である図６中左側（第２外フラップ２２Ａ側）の端部が把持部を構成する。
【００２７】
このように構成したブランクは、例えば底壁１０上に所定の商品を配置した状態で、底壁１０に対して側壁１１Ａ，１１Ｂを折り曲げ、側壁１１Ａに対して天壁１２を折り曲げた後、天壁１２に対して貼着壁１３を折り曲げる。そして、貼着壁１３を側壁１１Ｂの上端外側面に重畳させ、熱溶融樹脂からなる接着剤（ホットメルト）や酢酸ビニルエマルジョン系などの接着剤で貼着する。また、側壁１１Ａ，１１Ｂに対して内フラップ１９Ａ，１９Ｂ，２０Ａ，２０Ｂを折り曲げた後、底壁１０および天壁１２に対して外フラップ２１Ａ，２１Ｂ，２２Ａ，２２Ｂを折り曲げて、これらを同様にして貼着する。これにより、図３に示す封緘状態とすることができる。
【００２８】
この封緘状態の包装箱は、天壁１２に表示部２５を区画するための第１片ジッパー２６および破断用罫線２７と、破断用の第２片ジッパー３３を設けているが、表示部２５を立設状態に保持するための構造は貼着壁１３に設けている。しかも、第１片ジッパー２６は、天壁１２と第２外フラップ２２Ａ，２２Ｂの稜部に設けているうえ、破断用罫線２７は、略ハーフカット線２７ａによって構成しているため、この封緘状態での剛性の低下を最小限に抑えることができる。
【００２９】
また、貼着壁１３は封緘状態での全高である横幅が狭く、貼着面積が少ないため、段ボール紙１の腰による反発力が強い。しかし、本実施形態では、第２折曲線１７に沿って第１切断線１５を設けることにより保持片１６を設けているため、反発力を低減できる。しかも、保持片１６の下面に第１切断線１５による切断縁が係止した状態をなすため、貼着壁１３を天壁１２に対して屈曲させた状態に確実に保持できる。
【００３０】
そして、この包装箱を用いて商品が納入された販売店などでは、例えば側壁１１Ｂの一部、天壁１２の一部、および第２外フラップ２２Ａ，２２Ｂの一部を破断して取り除き、更に表示部２５を立設させた開封陳列状態とする。
【００３１】
具体的には、まず、第２内フラップ２０Ａ，２０Ｂのうち一方の分離用破断部３０Ａの端部を把持して、外向きに引っ張る。これにより、第２内フラップ２０Ａ，２０Ｂおよび側壁１１Ｂを引き裂くようにして破断する。ついで、第２外フラップ２２Ａのジッパー３２の端部を把持して、外向きに引っ張る。これにより、第２外フラップ２２Ａ、天壁１２および第２外フラップ２２Ｂの順番で、これらを分離用破断部３０Ｂおよび破断用罫線２７に沿って破断する。これにより、図４に示すように、側壁１１Ｂ、天壁１２および第２外フラップ２２Ａ，２２Ｂの各一部を取り除くことができる。
【００３２】
次に、残された天壁１２の破断縁中央を持ち、上向きに引っ張る。これにより、天壁１２と第２外フラップ２２Ａ，２２Ｂの稜部である第１片ジッパー２６に沿って天壁１２を破断する。その後、破断した残りの天壁１２からなる表示部２５を、第２折曲線１７を支点として回転させ、貼着壁１３に対して面一（鉛直方向）に延ばした状態とする。ここで、表示部２５の表示部用連続部である第２折曲線１７は、天壁１２と貼着壁１３の稜部（境界）であるため、表示部２５を鉛直方向に立設させても、折り癖により表示部２５が倒れてしまう。
【００３３】
そのため、本実施形態では、貼着壁１３に設けた係止部２８を内向きに押し込み、切欠部２９に係止させる。これにより、表示部２５を背面側へ引っ張り、図１および図２に示すように、表示部２５を背部の側壁１１Ａの上端から立設させた開封陳列状態とすることができる。しかも、本実施形態では、第２折曲線１７に沿って第１切断線１５を設けることにより保持片１６を設けているため、表示部２５の立設状態で保持片１６が第１切断線１５内に係合することにより、表示部２５を補助的に保持するように作用する。その結果、表示部２５の倒れ込みを防止して確実に立設状態を保持できる。
【００３４】
そして、開封陳列状態とした包装箱は、封緘状態で内面側に位置する裏ライナ３が、表示部２５において正面側に位置する表示面２５ａとなる。即ち、輸送時には、表示面２５ａは包装箱内に位置し、汚れが付着することはない。また、包装箱を積み上げても表示面２５ａに擦れが生じることはない。よって、表示面２５ａに所定の印刷を施しておくことにより確実に販売促進効果を得ることができる。また、表示部２５の上端破断縁は、破断用罫線２７をハーフカット線２７ａと切断部２７ｂとで構成しているため、この部分では裏ライナ３が全て予め切断された状態をなす。即ち、表示部２５の上端は、予め設定した綺麗な破断縁とすることができるため、この点でも販売促進効果を得ることができる。
【００３５】
図８および図９は第２実施形態の包装箱を示す。この包装箱は、破断用罫線２７の形状を変更した点で、第１実施形態と大きく相違する。具体的には、第２実施形態では、開封陳列状態とした表示部２５の上端縁の一部に円弧状突出部２５ｂを設けるために、破断用罫線２７に円弧部２７ｃを設けた構成としている。図９に示すように、円弧部２７ｃは、第１実施形態と同様に、ハーフカット線２７ａ上の所定位置に切断部２７ｂを設けた構成である。
【００３６】
この第２実施形態の包装箱は、第１実施形態と同様の作用および効果を得ることができる。しかも、表示部２５は、図８に示すように、予め設定した綺麗な破断縁と形状であるため、更に販売促進効果を得ることができる。
【００３７】
図１０および図１１は第３実施形態の包装箱を示す。この包装箱は、破断用罫線２７を片ジッパーによって構成するとともに、側壁１１Ｂとの境界である稜線に位置するように設けた点で、各実施形態と大きく相違する。また、この第３実施形態では、分離用破断部３０Ｂとして、第２外フラップ２２Ａ，２２Ｂに設けるジッパー３２の代わりに片ジッパー部３２ａのみを設けた構成としている。
【００３８】
具体的には、第３実施形態の包装箱のブランクは、図１１に示すように、第２の側壁１１Ｂと天壁１２との境界部分には第１折曲線１４は設けていない。そして、第３実施形態では、これらの境界部分中央に立設操作部３４が設けられている。この立設操作部３４は、稜線に沿って延びる第１切断部３４ａと、この第１切断部３４ａの両端から底壁１０に向けて内向きに傾斜して延びるミシン目状の第２切断部３４ｂ，３４ｂと、これらの先端間にかけて延びる折曲線からなる連続部３４ｃとを備える。そして、この立設操作部３４の両側に、破断用罫線２７として片ジッパーが設けられている。なお、片ジッパーの第２切断部は、立設操作部３４を設けた中央側に設けられる。
【００３９】
この第３実施形態の包装箱は、第１実施形態と同様の作用および効果を得ることができる。しかも、表示部２５は、図１０に示すように、表示部２５の表示面積を大きくすることができるため、更に販売促進効果を得ることができる。
【００４０】
なお、本発明の包装箱は、前記実施形態の構成に限定されるものではなく、種々の変更が可能である。
【００４１】
例えば、各実施形態では、表示部２５を区画する破断手段を構成する第１片ジッパー２６を、天壁１２および第２外フラップ２２Ａ，２２Ｂの稜部に沿って延びるように設けたが、天壁１２内において、貼着壁１３から第２の側壁１１Ｂに向けて延びるように設けてもよい。また、破断手段は、片ジッパー、ハーフカット線および切断線等の組み合わせだけに限られず、単にミシン目状に延びる切断線によって構成してもよく、希望に応じて変更が可能である。
【００４２】
また、前記実施形態では、側壁１１Ａ，１１Ｂに内フラップ１９Ａ，１９Ｂ，２０Ａ，２０Ｂを連設し、底壁１０および天壁１２に外フラップ２１Ａ，２１Ｂ，２２Ａ，２２Ｂを連設し、内フラップ１９Ａ，１９Ｂ，２０Ａ，２０Ｂの外面側に外フラップ２１Ａ，２１Ｂ，２２Ａ，２２Ｂを貼着する構成としたが、これらフラップ１９Ａ，１９Ｂ〜２２Ａ，２２Ｂの内外の位置関係は逆に構成することもできる。
【００４３】
また、前記実施形態では、平面視矩形状をなす包装箱としたが、側壁１１Ａ，１１Ｂと端壁１８Ａ，１８Ｂの境界部分に面取壁を設けた平面視八角形状や平面視六角形状の包装箱としてもよい。さらに、前記実施形態では、底壁１０、側壁１１Ａ，１１Ｂおよび天壁１２を連設し、端壁１８Ａ，１８Ｂをフラップ１９Ａ，１９Ｂ〜２２Ａ，２２Ｂにより構成したラップアラウンド形式の包装箱としたが、外周壁を構成する各一対の側壁１１Ａ，１１Ｂおよび端壁１８Ａ，１８Ｂを横方向に連設した汎用の包装箱であってもよい。この場合、天壁１２は、外周壁を構成する各壁に貼着する貼着壁１３を連設した別体のものとすることができる。また、底壁１０は、同様に別体のものとしてもよいし、底フラップにより構成することもできる。さらに、前記実施形態では、天壁１２を上側として表示部２５を上向きに立設したが、一方の端壁１８Ａ，１８Ｂを下向きに配置し、表示部２５を横向きに表出させて使用してもよい。
【符号の説明】
【００４４】
１０…底壁
１１Ａ，１１Ｂ…側壁
１２…天壁
１３…貼着壁
１５…第１切断線
１６…保持片
１７…第２折曲線（各連続部）
１８Ａ，１８Ｂ…端壁
２５…表示部
２５ａ…表示面
２６…第１片ジッパー（破断手段）
２７…破断用罫線（破断手段）
２８…係止部
２９…切欠部
３０Ａ，３０Ｂ…分離用破断部
【図１】
0005711162.tif 000002
【図２】
0005711162.tif 000003
【図３】
0005711162.tif 000004
【図４】
0005711162.tif 000005
【図５】
0005711162.tif 000006
【図６】
0005711162.tif 000007
【図７】
0005711162.tif 000008
【図８】
0005711162.tif 000009
【図９】
0005711162.tif 000010
【図１０】
0005711162.tif 000011
【図１１】
0005711162.tif 000012